(57)【要約】  本発明の分野は第一周波数信号を発信する外部クロックで動作する、確実な同期信号を生成するための電子装置（１）に関する。より具体的には、その技術分野は信号の時間的精度が１ナノ秒未満であり、それによってレーザーパルス列の様々な要素を同期させることを可能にする、非常に高分解能の同期信号に関する。  本発明の装置（１）は、第一周波数にほぼ等しい第二周波数で振動している内部クロック信号を発信する、内部クロック（１３３）を含んだ安全手段を備え、前記外部クロック信号が失われた時に、該内部クロック信号が該外部クロック信号の代わりとなり、そして安全手段が始動し、それによって同期される装置の部分的な又は完全な停止を生じるように、電子的安全管理手段（１３０）が構成される。【選択図】図３
2008503949.tif 000002
【特許請求の範囲】
【請求項１】
同期される装置より得られた第一外部クロック信号から同期信号を生成するための電子装置（１）であって、
一振動周波数で発信された前記信号が、クロック入力（１４０）と呼ばれる入力へ供給され、
同期信号を発生するための前記装置が少なくとも、
・第一周波数にほぼ等しい、第二周波数で振動している内部クロック信号を発信する内部クロック（１３３）と、
・外部クロック信号が故障した場合に、前記内部クロック信号が該外部クロック信号の代わりとなるように構成された第一の電子的安全管理手段とを備えることを特徴とする、同期信号を生成するための電子装置。
【請求項２】
第一の電子的安全管理手段が、外部クロック信号が失われた際に、一定の同期信号の予めプログラムされた適用又は停止を可能にすることを特徴とする、請求項１に記載の同期信号を生成するための電子装置（１）。
【請求項３】
該装置が電源装置タイプ又は電気機械装置タイプ、あるいは安全システムタイプの外部電子装置を制御する第二電子手段を備え、前記信号が電子制御出力（１４５）に配信され、前記第二手段が該第一の電子的安全管理手段により制御されることを特徴とする、請求項１に記載の同期信号を生成するための電子装置（１）。
【請求項４】
第一の安全管理手段が、外部クロック信号が失われた後の所定期間の最後に、同期装置によって制御される全ての装置のスイッチを切る手段を含むことを特徴とする、請求項１に記載の同期信号を生成するための電子装置（１）。
【請求項５】
第一電子手段（１３０）がＦＰＧＡタイプのプログラマブル・デジタル構成要素を備えることを特徴とする、請求項１に記載の同期信号を生成するための電子装置。
【請求項６】
装置がマイクロコンピュータ（３）を有する電子インターフェース手段（３１）を含み、前記マイクロコンピュータは装置（１）の機能を制御及びプログラミングすることが可能であることを特徴とする、請求項１に記載の同期信号を生成するための電子装置。
【請求項７】
請求項１〜６のいずれか一項に記載の同期信号を生成するための電子装置であって、それが少なくとも：
・第一振動周波数と同一の周波数の正弦波信号を得るように外部クロック信号をフォーマットする電子手段（１１０、１１１、１１２）と、
・前記正弦波信号から、
―時間ベースの基準として用いられる第一の周期的同期信号Ｓｏであって、前記信号が第一の繰り返し周波数を有し、前記信号が基準出力と呼ばれる電子出力へ供給される周期的同期信号と、
―複数の第二の周期的同期信号ＳＳＹＮＣであって、前記第二信号が第一同期信号に対してプログラム可能な時間だけシフトされ、前記第二信号がプログラムされた遅延信号出力と呼ばれる電子出力へ供給される周期的同期信号と、
―クロック出力と呼ばれる電子出力（１４１）へ供給される、第一外部クロック信号と同一の周波数を有する第二の外部同期クロック信号を生成する手段（１２０）とを生成する電子手段（１３０）と、
を備えることを特徴とする、同期信号を生成するための電子装置。
【請求項８】
レーザー・サブシステムであって、少なくとも次のオプトエレクトロニクス要素、
・レーザーパルス列の形態の光ビーム（５０）を発信する局部発振器（４０）と、
・エネルギー増幅サブシステム（４２、４４、４５）と、
・光ビーム（４１、４３、４６）を空間的及び時間的にフォーマットする手段と、
・制御、モニタリング、及び測定の手段（２、３、２１、２２、２３、２４、２５、２６、２７、３１）とを備え、
前記サブシステムが少なくとも、
・局部発振器の出力部に置かれる半反射の光学スプリッタ（４７）と、
・光ビームの一部を受けるために前記スプリッタ（４７）のチャンネルの一つに置かれ、前記光ビームを代表する電気信号を配信するフォトダイオード（２）と、
・該フォトダイオードから得られた電気信号が前記装置又は前記システム用のクロック信号として用いられ、前記装置（１）又は前記システムから得られた同期信号ＳＳＹＮＣが、サブシステムの様々なオプトエレクトロニクス要素を同期させるために用いられる、請求項１〜７のいずれか一項に記載の同期信号を生成するための装置（１）とを備えることを特徴とするレーザー・サブシステム。 
【発明の詳細な説明】
【技術分野】
【０００１】
本発明の分野は同期信号を生成するための電子装置である。より具体的には、その技術分野は信号の時間的な精度が１ナノ秒未満である非常に高分解能の同期信号に関する。これらの装置は、特にパルスの持続時間がおよそ数百フェムト秒で、それらのエネルギーがおよそ１テラワットである、高エネルギーで極度に短いレーザーパルス列を配信するレーザー・サブシステムにおいて用いられる。
【背景技術】
【０００２】
これらのサブシステムは通常、レーザーパルスを発生させ、増幅し、フォーマットするために必要な多くのオプトエレクトロニクス要素、及びこれらのパルスを制御し、モニターし、測定するための要素を備える。ここで、発信されたパルスは非常に短い持続時間を有するため、該サブシステムの最適な動作及び発信されたパルスの出来る限り良好な再現性の両方を確実にするように、高い時間的精度を有するサブシステムの様々な要素を同期させることが極めて重要である。
【０００３】
現在の同期装置は幾つかの欠点を示す。一方で、これらの様々な装置の内部クロックは、必ずしも同期されるべきシステムの要素から得られる外部信号と完全に同期されない。他方で、システムが同期されるべき多数の要素を含む時、それら全てを単一の同期装置と同期させることは不可能となる。この場合、幾つかの同期装置が使用され、これらの装置は英語の専門用語で「トリガー」（Ｔｒｉｇｇｅｒ）とも呼ばれるトリガー装置によりそれらの間で同期される。これらのトリガーは同期装置の内部クロック信号から生み出される。これらのクロック信号は周期的である。トリガー精度はクロック信号の一周期に等しいことは実証できる。例えば、１００ＭＨｚの周波数で発信されたクロック信号に対して、同期精度はそのとき一周期、すなわち１０ナノ秒に等しい。この精度は、一定の適用に対してはシステムの様々な要素の完全な同期を可能にするために十分ではない。
【発明の開示】
【発明が解決しようとする課題】
【０００４】
これらの欠点を克服するため、該装置はもはや内部クロックでなく、同期される装置から得られる外部クロックによって動作することができる。従って同期信号の如何なる時間的ドリフト及びトリガーの不正確度も回避される。しかしながら、この解決策は外部信号が消失した場合、同期装置全体がもはや機能できないという欠点を表わす。同期信号の消失はそのとき、深刻な結果を有し得る。実際に、外部クロック信号の破壊は同期されるべきシステムの故障の現れである。幾つかの適用、特にパルス・レーザー・サブシステムにおいて、この故障により破損し得るサブシステムの要素を保護するために対策手段をとることは重要である。それは特に、増幅されるべきレーザービームが存在する時のみ動作する必要があるパワーアンプの場合である。
【０００５】
本発明による装置は、故障の際に外部クロックの代わりとなる内部クロックの備えにより、外部クロックの故障に対して補償するための安全装置を備える。該装置は又システムが同期されるように継続して管理し、それゆえ要素の破損を防止するための電子管理手段を備える。
【課題を解決するための手段】
【０００６】
より具体的には、本発明の主題は第一振動周波数で発信される、クロック入力と呼ばれる入力へ供給される第一外部クロック信号からの同期信号を生成するための電子装置であって、前記装置は少なくとも：
・第一周波数にほぼ等しい、第二周波数で振動している内部クロック信号を発信する内部クロックと、
・外部クロック信号が故障した場合に、前記内部クロック信号が該外部クロック信号の代わりとなるように構成された第一の電子的安全管理手段と
を備えることを特徴とする。
【０００７】
有利なことに、第一の電子的安全管理手段は外部クロック信号が失われた際に、一定の同期信号の予めプログラムされた適用又は停止を可能にする。更に、該装置は電源装置タイプ又は電気機械装置タイプ、あるいは安全システムタイプの外部電子装置を制御する第二電子手段を備え、前記信号は電子制御出力に配信され、前記第二手段は該第一の電子的安全管理手段により制御される。
【０００８】
有利なことに、第一の安全管理手段は外部クロック信号が失われた後の所定期間の最後に、同期装置によって制御される全ての装置のスイッチを切る手段を含む。第一電子手段は主として、例えば「高速プログラマブル・ゲートアレイ」（Ｆａｓｔ  Ｐｒｏｇｒａｍｍａｂｌｅ  Ｇａｔｅ  Ａｒｒａｙ）の英語での頭字語であるＦＰＧＡタイプのプログラマブル・デジタル構成要素を備える。
【０００９】
該装置はマイクロコンピュータを用いた電子インターフェース手段を含み、前記マイクロコンピュータは該装置の機能を制御及びプログラミングすることが可能である。
【００１０】
本発明による装置は従来、
・第一振動周波数と同一の周波数の正弦波信号を得るように外部クロック信号をフォーマットするための電子手段と、
・前記正弦波信号から、
―時間ベースの基準として用いられる第一の周期的同期信号Ｓｏであって、前記信号が第一の繰り返し周波数を有し、前記信号が基準出力と呼ばれる電子出力へ供給される周期的同期信号と、
―複数の第二の周期的同期信号ＳＳＹＮＣであって、前記第二信号が第一同期信号に対してプログラム可能な時間だけシフトされ、やはりプログラム可能な第二の繰り返し周波数を有し、前記第二信号がプログラムされた遅延信号出力と呼ばれる電子出力へ供給される周期的同期信号と、
―クロック出力と呼ばれる電子出力へ供給される、第一外部クロック信号と同一の周波数を有する第二外部クロック信号を発生する手段と
を生成する電子手段とを備える。
【００１１】
本発明による装置は、より具体的に少なくとも次のオプトエレクトロニクス要素、
・レーザーパルス列の形で光ビームを放射する局部発振器と、
・エネルギー増幅サブシステムと、
・光ビームを空間的及び時間的にフォーマットする手段と、
・制御、モニタリング、及び測定手段と、
・局部発振器の出力部に置かれる半反射の光学スプリッタと、
・前記光ビームを代表する電気信号を配信する、該光ビームの一部を受けるために前記スプリッタのチャンネルの一つに置かれるフォトダイオードと、
・本発明による同期信号を生成するための電子装置又は電子システムであって、
該フォトダイオードから得られた電気信号が前記装置又は前記システム用のクロック信号として用いられ、前記装置又は前記システムから得られた同期信号ＳＳＹＮＣが、サブシステムの様々なオプトエレクトロニクス要素を同期させるために用いられる装置又はシステムと
を備えたレーザー・サブシステムに適用される。
【００１２】
本発明は制限されない例により与えられる以下の記述を読み、そして添付図を参照することによって更に良く理解され、他の利点が明らかになるであろう。
【発明を実施するための最良の形態】
【００１３】
制限されない例として、図１は本発明による同期信号１を生成するための電子装置を表わす。それは主として、
・第一振動周波数と同一の周波数のプラスの正弦波信号を得るように外部クロック信号をフォーマットするための、フィルタリング１１０、増幅１１１及びレベル設定１１２の電子手段と、
・前記正弦波信号から、
―時間ベースの基準として用いられる第一の周期的同期信号であって、前記信号が第一の繰り返し周波数を有し、前記信号が基準出力と呼ばれる電子出力１４２へ供給される周期的同期信号と、
―複数の第二の周期的同期信号であって、前記第二信号が第一同期信号に対してプログラム可能な時間だけシフトされ、前記第二信号がプログラムされた遅延信号出力と呼ばれる電子出力１４３へ供給される周期的同期信号と
を生成するための電子手段１３０、１３１、１３２と、
・第一周波数にほぼ等しい第二周波数で振動している内部クロック信号を発信する内部クロック１３３と、
・前記内部信号が、外部クロック信号の失われた際に該外部クロック信号の代わりとなるように構成された、電子的安全管理手段１３０と、
・クロック出力と呼ばれる電子出力１４１へ供給される、第一外部クロック信号と同一の周波数を有する第二の外部同期クロック信号を生成する手段１２０と、
・装置の機能の全部又は幾分かを制御及びプログラミングすることが可能である制御マイクロコンピュータ３を有する電子インターフェース手段３１と、
・トリガー入力又は「トリガー」と呼ばれる電子入力１４４へ供給される少なくとも一つの外部信号から、装置の一定の機能を同期させるための電子トリガー手段と、
・電子装置用又は電気機械装置６０用に、電子制御出力１４５へ配信されている制御信号を配信するため、あるいは安全装置６１から来る該制御信号を受けるための制御手段とを備える。
【００１４】
一定数のパルス・レーザーのような電子機器又はオプトエレクトロニクス機器、あるいはシステムは、非常に高い安定性のクロック信号を配信する。このクロック信号は同期されるべき装置の様々な構成要素を同期させるために用いられる。
【００１５】
電子手段１３０、１３１、及び１３２の主要な機能は、該クロック信号から同期信号ＳＳＹＮＣを生成することである。これらの電子手段の中核部は、「高速プログラマブル・ゲートアレイ」（Ｆａｓｔ  Ｐｒｏｇｒａｍｍａｂｌｅ  Ｇａｔｅ  Ａｒｒａｙ）の英語での頭字語にあたるＦＰＧＡタイプであり得る、プログラマブル・デジタル構成要素１３０により形成される。このプログラマブル・デジタル構成要素は、
・時間ベースの基準として用いられる第一の周期的同期信号Ｓｏであって、前記信号が第一繰り返し周波数を有し、前記信号が基準出力と呼ばれる電子出力１４２へ供給される周期的同期信号と、
・第二の繰り返し周波数を有する複数の第二の周期的同期信号ＳＳＹＮＣであって、前記第二信号が第一同期信号Ｓｏに対してプログラム可能な時間δＭだけシフトされ、前記第二信号がプログラムされた遅延信号出力と呼ばれる電子出力１４３へ供給される周期的同期信号とを生成する。
【００１６】
同期信号Ｓｏ及びＳＳＹＮＣは各パルスが鋸歯の形を持つ同一の時間的パルス列の形をとり、前記鋸歯の上昇エッジＭと下降エッジＤは、基準として取られた第一同期信号Ｓｏの対応する鋸歯の上昇エッジに対して、プログラム可能な第一の時間δＭ及び第二の時間δＤだけシフトされている。二つのパルスを分離している時間ＴＳＹＮＣは、該同期信号ＳＳＹＮＣの繰り返し周波数ｆＳＹＮＣの逆数に等しい。この繰り返し周波数ｆＳＹＮＣは同期信号の用途に応じて調整可能である。
【００１７】
プログラマブル・デジタル構成要素１３０はクロック周波数で動作し、前記クロック周波数の周期よりも大きい時間的分解能を有する信号は配信出来ない。従ってクロック周波数が１００ＭＨｚの場合、プログラマブル・デジタル構成要素の固有の分解能は１０ナノ秒である。より小さい時間的分解能を得るために、プログラマブル・デジタル構成要素１３０の出力部にはプログラム可能な遅延線１３２があり、各々の第二同期信号ＳＳＹＮＣは該遅延線から生じる。従って外部クロックの時間周期よりも十分に小さい、鋸歯の上昇エッジ及び下降エッジの時間的精度が得られる。前の例により５０ピコ秒の「ジッター」（ｊｉｔｔｅｒ）とも呼ばれる平均的不確実性を伴う、およそ２５０ピコ秒の時間的分解能を得ることが可能である。
【００１８】
使用者の利便性と人間工学の理由で、図１に双方向矢印により象徴的に表わされている電子インターフェース３１を用いて、装置の様々な機能をマイクロコンピュータ３によりモニターすることができる。これらの電子インターフェース３１は単純な電子リンクであってもよく、或いは、例えばＲＳ２３２標準のような電子装置間のデータ交換用の電子的標準に従って定義されることができる。制御及びモニタリングのソフトウェアは、ナショナル・インストゥルメント社（Ｎａｔｉｏｎａｌ  Ｉｎｓｔｒｕｍｅｎｔｓ）により開発された商品名「ラブビュー」（ＬＡＢＶＩＥＷ）によって知られる計測器モニタリング・ソフトウェアのような、特定のソフトウェアを用いて開発されることができる。同期装置がプログラムされた全てのパラメータに対して、もはやマイクロコンピュータ３により管理されない場合、特に該同期装置が独立して動作できるように、同期信号を支配する様々な遅延が保たれる場合は有利である。このために、プログラマブル・デジタル構成要素は電子メモリ１３１を有する。
【００１９】
同期装置はまた第一周波数にほぼ等しい第二周波数で振動している内部クロック信号を発信する内部クロック１３３を備え、第一の電子的安全管理手段は、外部クロック信号が失われた場合に前記内部信号が該外部クロック信号の代わりになるように、プログラマブル・デジタル構成要素１３０内に組み込まれる。この内部クロックは例えば水晶発振器であり得る、チューニング可能な発振器から得られる。
【００２０】
本発明による安全装置の動作プロトコルは図２の線図に記述されている。
【００２１】
該プロトコルの様々なステップは次の通りである。
・同期装置はフォーマットされ電子装置から得られる外部クロック信号を配信する。この信号は電子手段１１２により調べられる。該信号の調査は「信号」（ＳＩＧＮＡＬ）と名付けられた菱形により象徴される。該信号が正しい場合は勿論、装置は「信号」（ＳＩＧＮＡＬ）の菱形から「ＹＥＳ」（「ＯＵＩ」）出力により象徴される外部クロックへと動作し続ける。該信号が「信号」（ＳＩＧＮＡＬ）の菱形からの「ＮＯ」（「ＮＯＮ」）出力で象徴されるように適合しない場合、プロトコルは次のステップへ移動する。
・次に安全装置は、次のタスクに対応する「部分停止」（ＰＡＲＴＩＡＬ  ＳＴＯＰ）（仏：ＡＲＲＥＴ  ＰＡＲＴＩＥＬ）、「クロック作動」（ＣＬＯＣＫ  ＡＣＴＩＶＡＴＩＯＮ）（仏：ＡＣＴＩＶＡＴＩＯＮ  ＨＯＲＬＯＧＥ）、及び「表示」（ＤＩＳＰＬＡＹ）（仏：ＡＦＦＩＣＨＡＧＥ）と名付けられた矩形によって象徴される三つの機能を作動させる。
―「部分停止」（ＰＡＲＴＩＡＬ  ＳＴＯＰ）（仏：ＡＲＲＥＴ  ＰＡＲＴＩＥＬ）：長引いた停止により危険又は破損の可能性を表わしている装置はスイッチを切られる。
―「クロック作動」（ＣＬＯＣＫ  ＡＣＴＩＶＡＴＩＯＮ）（仏：ＡＣＴＩＶＡＴＩＯＮ  ＨＯＲＬＯＧＥ）：システムの正しい動作に必須の同期信号が再度正しく作動するように、内部クロックが作動し外部クロックの代わりとなる。
―「表示」（ＤＩＳＰＬＡＹ）（仏：ＡＦＦＩＣＨＡＧＥ）：故障のメッセージが表示ダイオードを通じて同期装置自体に表示されるか、又はモニターするマイクロコンピュータに表示される。
・「ループ」（ＬＯＯＰ）（仏：ＢＯＵＣＬＥ）と名付けられた次のステップは、システムの安全ステップを終了させる。
・「外部クロック正常」（ＥＸＴ．ＣＬＯＣＫ  ＣＯＲＲＥＣＴ）（仏：ＨＯＲＬ．ＥＸＴ．ＣＯＲＲＥＣＴＥ）と名付けられた次のステップは、外部信号が回復したことをチェックする。もしそうであれば、装置は「外部クロック正常」（ＥＸＴ．ＣＬＯＣＫ  ＣＯＲＲＥＣＴ）（仏：ＨＯＲＬ．ＥＸＴ．ＣＯＲＲＥＣＴＥ）の菱形からの「ＹＥＳ」（ＯＵＩ）出力により象徴されるように、矩形の「外部クロックの戻り」（ＲＥＴＵＲＮ  ＯＦ  ＥＸＴＥＲＮＡＬ  ＣＬＯＣＫ）（仏：ＲＥＴＯＵＲ  ＨＯＲＬＯＧＥ  ＥＸＴＥＲＮＥ）へと、外部クロック信号を動作させるために戻る。もしそうでなければ、プロトコルは次のステップに移動する。
・「制限時間」（ＬＩＭＩＴ  ＴＩＭＥ）（仏：ＴＥＭＰＳ  ＬＩＭＩＴＥ）と名付けられた次のステップは、外部クロック信号の故障時間が所定の時間未満であることをチェックする。「制限時間」（ＬＩＭＩＴ  ＴＩＭＥ）（仏：ＴＥＭＰＳ  ＬＩＭＩＴＥ）の菱形からの「ＹＥＳ」（「ＯＵＩ」）出力により象徴される如く、故障時間がこの値よりも大きいか又は等しい場合、該システムの全ての構成要素は「完全停止」（ＴＯＴＡＬ  ＳＴＯＰ）（仏：ＡＲＲＥＴ  ＴＯＴＡＬ）と名付けられた矩形によって象徴されるように停止する。その反対の場合、外部クロック信号は線図で「増加」（ＩＮＣＲＥＭＥＮＴＡＴＩＯＮ）により象徴されるように、或る増加時間の後に該クロック信号が回復されるか、又は故障時間の最大期間が経過するまで再度試験される。
【００２２】
制限されない一例として、図３は本発明による同期装置１を含むシステムを例示している。同期信号を必要とする装置は、極度に短いパルスを発信するレーザー・サブシステムである。発信されたレーザービーム５０は図３に双方向矢印により象徴されている。該サブシステムは順に、以下を含む。
・レーザーパルスを配信する光発振器４０。通常、該パルスの持続時間はおよそ数百フェムト秒であり、それらは高い繰り返し周波数で発信され、この第一周波数の大きさはおよそ数十ＭＨｚである。この繰り返し周波数は非常に高い安定度である。
・時間的にフェムト秒のパルスを延長するための、英語の専門用語で「ストレッチャー」（Ｓｔｒｅｔｃｈｅｒ）とも呼ばれる回折格子を有する第一光学装置４１。該パルスの持続時間は従って１，０００〜１０，０００の係数により倍加する。このパルスの延長により、サブシステムの出力部において相当な大きさであるピーク出力は相応に減少する。従ってサブシステムの様々な光学要素の完全な安全性が大いに拡大され得る。
・「ストレッチャー」より得られたパルスから、より高いエネルギーを有する所定の光学モードでパルスを供給するための、再生増幅器と呼ばれる第一の増幅器４２。これらのパルスは１Ｈｚ〜５００ＫＨｚの間の低い繰り返し周波数で配信される。
・持続時間を厳密に制限することにより、パルスのノイズ制限を可能にするポケットセル装置４３。
・レーザーパルスのプリアンプ・ユニット４４及び増幅ユニット４５。
・最後に、元の持続時間に戻し、従ってそのピーク出力を増加させるために、パルスの時間的な圧縮を可能にする、英語の専門用語で「コンプレッサー」（Ｃｏｍｐｒｅｓｓｏｒ）とも呼ばれる第二の回折格子装置４６。
【００２３】
勿論、要求に応じてこのサブシステムはより少ない光学要素を含むことができ、例えばポケットセル装置は絶対に必要ではない。該サブシステムはまた別の光学要素を含むことができ、また一つの増幅チャンネル又は並列に配置された幾つかのチャンネルを持つことも可能である。
【００２４】
発信されたパルスにおいて幾何学的、測光的、及び分光のデータと特性を利用するため、サンプルがレーザー・サブシステムの様々な場所で採取される。これらのサンプルは光ビーム５０に沿って置かれた半反射ブレード４７を用いて採取され、該採取された光ビームは例えば測定用フォトダイオード２、２２、及び２４、英語の専門用語で「ストリーク・カメラ」（ｓｔｒｅａｋ  ｃａｍｅｒａ）とも呼ばれる、いわゆるスロット走査の超高速カメラ２１及び２３、オシロスコープ等に送られる。従って、光発振器４０から得られたレーザーパルス列の一部をフォトダイオード２に送ることができる。前記フォトダイオードから得られた電気信号は、次に本発明による同期装置１のクロック入力１４０に供給される。この信号から該同期装置１は、
・時間ベースの基準として用いられる第一の周期的同期信号Ｓｏであって、
前記信号が自身の繰り返し周波数を有し、前記信号が基準出力と呼ばれる電子出力１４２へ供給され、トリガー装置２５を用いて再生増幅器と呼ばれる第一の増幅器４２の始動を制御する周期的同期信号と、
・複数の第二周期的同期信号ＳＳＹＮＣであって、前記第二信号が第一同期信号に対してプログラム可能な時間だけシフトされ、またプログラム可能な繰り返し周波数を有し、前記第二信号がプログラムされた遅延信号出力と呼ばれる電子出力１４３へ供給され、そしてトリガー装置２６及び２７を用いてサブシステムの様々な光学要素を制御する周期的同期信号とを配信する。
【００２５】
該同期装置１はまた、電子装置用又は電気機械装置６０用に、電子制御出力１４５へ配信されている制御信号を配信し、あるいは安全装置６１から来る該制御信号を受けることを可能にする制御手段を有する。
【００２６】
同期装置の全てのパラメータは図３において双方向矢印で表わされているインターフェース３１を経由して、マイクロコンピュータ３により管理される。
【００２７】
発振器の故障の際、外部クロック信号は消失する。この場合、安全装置が作動する。内部クロックは一定の構成要素を引き続き作動させるために、外部クロックの代わりとなる。それらは従ってそのままの温度が保たれる。一定の増幅器のような他の構成要素は、それらの増幅格子の異常過熱を避けるために接続を断たれる。
【図面の簡単な説明】
【００２８】
【図１】本発明による装置の全体ブロック線図を表わす。
【図２】本発明による安全装置の動作プロトコルの線図を表わす。
【図３】本発明による装置を組み込んだレーザー・サブシステムを表わす。
【図１】
2008503949.tif 000003
【図２】
2008503949.tif 000004
【図３】
2008503949.tif 000005
【国際調査報告】
2008503949.tif 000006
2008503949.tif 000007
2008503949.tif 000008
2008503949.tif 000009
2008503949.tif 000010
2008503949.tif 000011